(57)【要約】【課題】  低コストかつ簡素な機構で、回転体に巻き付こうとするつる草などの紐状体を切断でき、これにより紐状体の巻き付きを防止できる草刈機を提供する。【解決手段】  回転体支持部１６に回転可能に支持された回転体１４と、回転体１４の回転に従動して回転する刈り刃２０と、少なくとも回転体１４の回転時に動かないように回転体支持部１６に固定され、回転体１４の回転時に回転体１４に巻き付く紐状体を切断する巻き付き防止刃２０と、を備える。【選択図】        図１
2007060958.tif 000002
【特許請求の範囲】
【請求項１】
支持体に回転可能に支持された回転体と、
前記回転体の回転に従動して回転する切断手段と、
少なくとも前記回転体の回転時に動かないように前記支持体に固定され、前記回転体の回転時に前記回転体に巻き付く紐状体を切断する巻き付き防止刃と、
を備えた草刈機。
【請求項２】
前記巻き付き防止刃の刃線が前記切断手段が回転したときの回転面に対して斜めになるように前記巻き付き防止刃を前記支持体に固定した請求項１記載の草刈機。
【請求項３】
前記巻き付き防止刃の前記支持体に対する固定位置を調整可能に構成した請求項１または請求項２記載の草刈機。
【発明の詳細な説明】
【技術分野】
【０００１】
本発明は、回転体の回転に従動して回転する刈り刃や樹脂製紐等の切断手段を備えた草刈機であって、回転体へのつる草等の紐状体の巻き付きを防止することができる草刈機に関するものである。
【背景技術】
【０００２】
刈り刃等を回転させて草を刈る草刈機を用いて山間部の開拓や清掃および農業で行われる草刈作業を行う際、草刈機、特に草刈機の刈り刃等を回転させる回転体（回転軸）につる草等の紐状体が巻き付いてしまうことがある。つる草等が巻き付くと、草刈機が機能不全を起こして草刈作業を行うことできなくなるため、従来はこれを除去するために作業を一時中断しなくてはならならず、作業能率が著しく低下していた。
【０００３】
そこで、回転軸に対して内側及び外側軌道輪を設け、紐状体が草刈刃の回転方向に引っ張られる力を利用して外側軌道輪を回転させて巻き付きを防止する技術が提案されている（例えば、特許文献１参照。）。また、刃が付いた小型の回転ドラムを備え、巻き付きの力に沿って回転ドラムが回転することによって巻き付いたつる草を刃で切断し巻き付きを防止する技術も知られている（例えば、特許文献２、３参照。）。また、ナイロンカッターに同期して回転するホルダに切断刃を設け、刈り取った草の絡みつきを防止する技術も知られている（例えば、特許文献４参照。）。
【特許文献１】特開２００２−２３３２２２号公報
【特許文献２】特開２００２−２０９４１８号公報
【特許文献３】特開平１１−１８５４３号公報
【特許文献４】実開平５−２９３３１号公報
【発明の開示】
【発明が解決しようとする課題】
【０００４】
しかしながら、上記従来の技術では、構造が複雑になってしまうため、高コストとなってしまう上、草刈機自体の重量が重くなってしまい、作業者の使い勝手が著しく低下する。また、軌道輪あるいは回転ドラムを用いた複雑な構造は故障しやすく、メンテナンスが面倒になる。さらにまた、上記刃が付いた回転ドラムによる技術では、回転ドラムが紐状体と一緒に回転するため回転ドラムに備えられた刃では紐状体が切断されにくい、という問題もある。
【０００５】
また、ナイロンカッターに同期して回転するホルダに切断刃を設けた技術も、上記と同様の問題が生じる。
【０００６】
本発明は、このような問題を解決するためになされたものであり、低コストかつ簡素な機構で、回転体に巻き付こうとするつる草などの紐状体を切断でき、これにより紐状体の巻き付きを防止できる草刈機を提供することを目的とする。
【課題を解決するための手段】
【０００７】
上記目的を達成するために、本発明の草刈機は、支持体に回転可能に支持された回転体と、前記回転体の回転に従動して回転する切断手段と、少なくとも前記回転体の回転時に動かないように前記支持体に固定され、前記回転体の回転時に前記回転体に巻き付く紐状体を切断する巻き付き防止刃と、を備えている。
【０００８】
このように、草刈機に回転体の回転時に回転体に巻き付く紐状体を切断する巻き付き防止刃を設けたため、紐状体の巻き付きを防止できる。また、巻き付き防止刃を、少なくとも回転体の回転時には動かないように支持体に固定するようにしたため、回転体の回転に伴って回転するように設けられた刃に比べて、紐状体を切断しやすい。
【０００９】
なお、この草刈機の切断手段は、草等を刈ることができれば特に限定されず、例えば、円盤の外周に外周刃が備えられた刈り刃であってもよいし、２本の刃が回転軸に対して相対向して設けられた刈り刃であってもよいし、樹脂製の紐等であってもよい。
【００１０】
また、前記巻き付き防止刃の刃線が前記切断手段が回転したときの回転面に対して斜めになるように前記巻き付き防止刃を前記支持体に固定するようにしてもよい。
【００１１】
これにより、回転体に紐状体が巻き付こうとしたときに、回転体の回転（切断手段の回転）に伴って紐状体が刃線に沿ってせり上がるような状態となり、容易に紐状体を切断することができる。
【００１２】
また、前記巻き付き防止刃の前記支持体に対する固定位置を調整可能に構成することもできる。
【００１３】
これにより、紐状体が切断しやすく、かつ巻き付き防止刃が切断手段に接触しないような好適な位置に巻き付き防止刃の位置を調整することができる。なお、ここでいう固定位置には、支持体に対する３次元的な位置だけでなく、巻き付き防止刃の切断手段の回転面に対する傾き（角度）も含むことができる。
【発明の効果】
【００１４】
以上説明したように、本発明の草刈機によれば、草刈機に、草刈機の回転体に巻き付く紐状体を切断する巻き付き防止刃を設けるようにしたため、低コストかつ簡素な機構で紐状体の巻き付きを防止できる、という優れた効果を奏する。
【発明を実施するための最良の形態】
【００１５】
以下、図面を参照して本発明の実施の形態を詳細に説明する。
【００１６】
図１は本実施の形態に係る草刈機１０の斜視図、図２は草刈機１０の正面図、図３は草刈機１０の側面図、図４は草刈機１０の上面図である。
【００１７】
この草刈機１０は、不図示の動力発生部で発生した動力を回転体１４に伝達する動力伝達機構１８と、動力伝達機構１８から伝達された動力によって回転軸Ｏ（図２参照）を中心に回転する回転体１４と、回転体１４を収容すると共に回転体１４を回転可能に支持する回転体支持部１６と、円盤の外周に複数個の外周刃が設けられた刈り刃１２を備えている。なお、外周刃の図示は省略する。刈り刃１２は、回転体１４及び回転体下部１５に挟持され、回転体１４の回転に従動して回転する。
【００１８】
回転体支持部１６には、回転体１４の回転時に回転体１４に巻き付くつる草やロープ等の紐状体を切断する巻き付き防止刃２０が固定されている。図１及び図３に示すように、巻き付き防止刃２０には複数個の取付穴２２が設けられ、これら複数個の取付穴２２のいずれか１つおよび回転体支持部１６のネジ穴（不図示）に防止刃取付ネジ２４を挿通して巻き付き防止刃２０が回転体支持部１６に対して動かないように締めることにより、巻き付き防止刃２０を刈り刃１２に接触しない位置かつ回転体１４に巻き付く紐状体を切断するのに好適な位置に固定している。
【００１９】
また、回転体支持部１６には、巻き付き防止刃２０の固定位置（巻き付き防止刃２０の刃線の、刈り刃１２の回転面に対する傾きを含む）を調整するための位置調整固定支柱３０が取り付けられている。この位置調整固定支柱３０にも、複数個の取付穴３６が設けられ、これら複数個の取付穴３６のいずれか１つおよび回転体支持部１６の上記巻き付き防止刃２０を固定するネジ穴とは別のネジ穴（不図示）に、支柱取付ネジ３４を挿通して位置調整固定支柱３０が回転体支持部１６に対して動かないように締めることにより、位置調整固定支柱３０を所望の位置に固定している。
【００２０】
位置調整固定支柱３０には、上記複数個の取付穴３６とは別に、巻き付き防止刃２０と連結するための連結穴（不図示）が設けられている。巻き付き防止刃２０と位置調整固定支柱３０とを所望の角度で重ね合わせた状態で、位置調整固定支柱３０の連結穴および巻き付き防止刃２０の複数個の取付穴２２のうち最も刃元側に設けられた取付穴に、位置調整ネジ３２を挿通して締める。これにより、巻き付き防止刃２０を回転体１４に巻き付く紐状体を切断するに好適な位置に固定している。なお、位置調整固定支柱３０の連結穴も複数個設け、巻き付き防止刃２０の位置を調整するようにしてもよい。
【００２１】
図３に、巻き付き防止刃２０の刃線側を斜線で示した。巻き付き防止刃２０は、その刃線が刈り刃１２の回転面に対して斜めになるように位置調整された状態で、回転体支持部１６に固定されている。このように、刃線を刈り刃１２の回転面に対して斜めにすることによって、回転体１４に紐状体が巻き付こうとしたときに、回転体１４の回転（刈り刃１２の回転）に伴ってこの紐状体がこの刃線に沿ってせり上がるような状態となり、これにより紐状体の巻き付き防止刃２０に対する擦り量が増大し、容易に紐状体を切断することができる。
【００２２】
次に、草刈機１０の動作について説明する。
【００２３】
作業者が、草刈機１０を支持した状態で、不図示の動力発生部で動力を発生させる。動力発生部で発生した動力は、動力伝達機構１８によって回転体１４に伝達される。この動力によって回転体１４は回転し、この回転に伴って刈り刃１２が図４に示すＡの方向に回転する。このように刈り刃１２が回転することによって、作業者は草などを刈ることができる。
【００２４】
図５は、草刈作業中に、つる草などの紐状体４０が回転体１４に巻き付こうとしたときに、この紐状体４０が巻き付き防止刃２０にて切断される様子を模式的に示した説明図である。
【００２５】
図５（Ａ）に示すように、回転軸Ｏを中心にして刈り刃１２（回転体１４）が回転しているときに、紐状体４０のＲ部分が刈り刃１２の外周に接触する。その後、紐状体４０のＲ部分は、図５（Ｂ）に示すように刈り刃１２の回転に沿って移動し、回転軸Ｏ周りに巻き込まれる。図５（Ｃ）の状態になると、回転軸Ｏを支点にして、紐状体４０のＰ−Ｒ部分とＱ−Ｒ部分とで引っ張り合う力が発生する。特につる草などは地面に根を張った状態で巻き付くため、引っ張り合う力は強くなる。このため回転軸Ｏ近く（回転体支持部１６）に固定された巻き付き防止刃２０の刃線に紐状体４０が接触し、強く擦られて、図５（Ｄ）に示すように紐状体４０が切断される。従って、紐状体４０が草刈機１０の回転体１４に巻き付くことを防止できる。これにより、草刈作業を中断させることなく、作業効率も大幅にアップする。
【００２６】
以上説明したように、回転体１４に巻き付く紐状体を切断する巻き付き防止刃２０を、回転体１４の回転時に動かないように回転体支持部１６に固定したため、回転体１４に絡みつく紐状体を容易に切断することができる。また、巻き付き防止刃２０を回転体支持部１６に固定した簡易な構成で巻き付きを防止するため、比較的低コストで実現できる。また、構造が簡易なため、故障等は発生しにくく、メンテナンスも容易である。さらにまた、巻き付き防止刃２０は、回転体１４の回転に伴って動くことがないため、紐状体を切断しやすい。
【００２７】
なお、上記実施の形態では、図４に示すように、巻き付き防止刃２０を回転軸Ｏの向かって右側に固定したが、その固定位置は巻き付こうとする紐状体を切断できる位置であれば特に限定されず、例えば、回転軸Ｏの向かって左側に固定するようにしてもよい。
【００２８】
さらにまた、上記実施の形態では、巻き付き防止刃２０の固定位置を調整できるように構成したが、これに限定されず、巻き付き防止刃２０を回転体支持部１６と一体形成して固定位置が調整できないような構成であっても、紐状体を切断するのに好適な位置に巻き付き防止刃２０が設けられていればよい。
【００２９】
さらにまた、上記実施の形態では、固定位置を調整するために、巻き付き防止刃２０や位置調整固定支柱３０に複数個の取付穴を設けたが、これに限定されず、複数個の取付穴に代えて細長い形状の取付穴を設けてもよい。この細長い取付穴内で、防止刃取付ネジ２４或いは支柱取付ネジ３４で締める位置を変えても上記と同様に固定位置を調整することができる。
【００３０】
また、上記実施の形態では、巻き付き防止刃２０を、その刃線が刈り刃１２の回転面に対して斜めになるように位置調整された状態で、回転体支持部１６に固定した例について説明したが、これに限定されず、例えば、刃線が回転面に対して垂直になるように固定してもよい。このように固定した場合には、斜めの状態に比べて切断しにくくなる場合があるが、このような構成によっても容易に紐状体を切断できる。
【００３１】
また、上記実施の形態では、円盤の外周に外周刃が備えられた刈り刃を切断手段として用いた草刈機を例に挙げて説明したが、これに限定されず、例えば、２本の刃が回転軸に対して相対向して設けられた刈り刃を用いた草刈機であってもよいし、高速回転することによって切断手段として機能する樹脂製の紐等を用いた草刈機であってもよい。
【図面の簡単な説明】
【００３２】
【図１】本発明の実施の形態に係る草刈機の斜視図である。
【図２】本発明の実施の形態に係る草刈機の正面図である。
【図３】本発明の実施の形態に係る草刈機の側面図である。
【図４】本発明の実施の形態に係る草刈機の上面図である。
【図５】紐状体が巻き付き防止刃にて切断される様子を模式的に示した説明図である。
【符号の説明】
【００３３】
１０  草刈機、１２  刈り刃、１４  回転体、１６  回転体支持部、２０  巻き付き防止刃、２２  取付穴、２４  防止刃取付ネジ、３０  位置調整固定支柱、３２  位置調整ネジ、３４  支柱取付ネジ、３６  取付穴、４０  紐状体。
【図１】
2007060958.tif 000003
【図２】
2007060958.tif 000004
【図３】
2007060958.tif 000005
【図４】
2007060958.tif 000006
【図５】
2007060958.tif 000007